(57)【特許請求の範囲】
【請求項１】
原稿を読み取り画像データを出力するスキャナ，画像データを顕像化して転写紙上に画像形成するエンジン，これらを制御する装置制御手段，外部機器を上記装置制御手段に接続する接続手段，上記スキャナ，エンジンおよび装置制御手段に電力を供給する通常モードと供給しない省エネルギーモードとを持つ電源手段，モード切換えを指示する指示手段、および、上記指示手段の指示に応じて上記電源手段のモードを切換える電源制御手段、を備えた省エネルギ待機の画像形成装置において、
上記装置制御手段は、上記電源手段が省エネルギーモードであるときに、上記指示手段からの指示、または上記接続手段を介して送られてくる指示に応じて、リセット信号を生成し該リセット信号によって上記電源制御手段をリセットし、該電源制御手段が、該リセットによる再起動によって上記電源手段を通常モードに切換える、ことを特徴とする省エネルギ待機の画像形成装置。
【請求項２】
画像形成装置は更に書き換え可能な記憶保持装置を具備し、上記電源制御手段は、上記スキャナ，エンジンおよび装置制御手段への電力が遮断された状態において、上記指示手段からの指示または上記接続手段を介して送られてくる指示があったとき、上記指示手段からの指示であるのか、あるいは上記接続手段を介して送られてくる指示であるのかの識別情報を上記記憶保持装置に記憶する、請求項１に記載の省エネルギ待機の画像形成装置。
【請求項３】
上記電源制御手段は、上記指示に応じて電力を供給した後上記識別情報を上記記憶保持装置から読み取り、それが接続手段を介して送られてきた指示を示すときは、上記接続手段に接続された外部機器との処理を最優先に開始する、請求項２に記載の省エネルギ待機の画像形成装置。
【発明の詳細な説明】
【０００１】
【発明の属する技術分野】
本発明は、プリンタ，ファクシミリ，デジタル複写機などの画像形成装置に関し、特に、画像形成指示を待つ間は、各部電気回路への通電を遮断又は節減する省エネルギーモード機能を備えた画像形成装置に関する。
【０００２】
【従来の技術】
従来より、省エネルギーモードを備えた画像形成装置が知られている。この画像形成装置においては、省エネルギーモードへの移行は、操作部等に配置された手動ＳＷ（スイッチ）の操作に応答して、又は、画像形成を終えた後設定時間の間画像形成装置へのアクセス（画像形成条件の入力，画像形成指示等）が無いときに、タイマのタイムオ−バに応答して実行される。省エネルギーモ−ドの状態で、手動ＳＷの再押下あるいはアクセスがあると、あるいは外部機器接続用のＩ／Ｆ（インタ−フェ−ス：接続回路）からの復帰要求すなわち外部機器からのアクセスがあると、画像形成に所要の通電すなわち通常モ−ドに切換わる。
【０００３】
図７は、従来の、省エネルギーモード機能付のデジタル複写機を示す。図７において、省エネルギーモードへの移行は、「通常モ−ド」のときに操作部３０に配置される主電源ＳＷ３１が操作されたときに行われる。「通常モ−ド」のときはパワ−リレ−ＳＷ６２がオンになっており、この状態で主電源ＳＷ３１が押下されると、電源制御部２０のサブＣＰＵ２１が、パワーリレーＳＷ６２をオフする。これにより主電源６０から、通常モ−ド電源ライン６３への電力供給が停止され、メイン制御部１０の電力消費部，スキャナ部４０およびエンジン部５０は非通電状態（省エネルギーモード）となる。なお、メイン制御部１０の、待機中監視回路やデ−タ保持回路など、電力消費が低くしかも待機中も通電が必要な電気回路には、待機電圧を印加する態様もある。
【０００４】
省エネルギーモードから通常モ−ドへの復帰は、主電源ＳＷ３１の再押下、もしくは、オプション機器であってデジタル複写機に対して外付けのプリンタユニット７０からの復帰要求あるいはファックスユニット８０からの復帰要求のいずれかにより、電源制御部２０のサブＣＰＵ２１は、パワーリレーＳＷを６２をオンする。これにより、画像読取および又は画像形成に所要のメイン制御部１０，スキャナ部４０およびエンジン部５０に、通常モ−ド電源ライン６３を介して主電源部６０から通電される（通常モード）。
【０００５】
しかしながら、図７の構成は、中央演算処理素子（メインＣＰＵ）１１を含む本体制御部の他に、省エネルギーモードからの復帰要求を専用に管理する副中央演算処理素子（サブＣＰＵ）２１を含む電源制御部２０を必要とするため、少なくともサブＣＰＵ２１のコストアップおよびサブＣＰＵ２１制御用の専用ソフトウェア開発が必要となっていた。
【０００６】
これに対し、副中央演算処理素子を使用せず、省エネルギーモードからの復帰要求管理、電源制御を１つの中央演算処理素子のみで行うシステム構成もある。その一態様を図１に示す。図１において、メイン制御部１０にはパワーリレーＳＷ６２のオン／オフにより遮断可能な電源ライン６３と、これに依存せず通電し続ける電源ライン６４が供給されるようになっている。電源ライン６３は、メイン制御部１０の、ＣＰＵ１１を主体とするコンピュ−タ要素を除く、画像読取，画像形成の制御を行なう電気回路ブロック（主にスキャナ，エンジンとのＩ／Ｆ回路）に給電し、またスキャナ部４０，エンジン部５０に給電する。
【０００７】
電源ライン６４は、ＣＰＵ１１を主体とするコンピュ−タ要素（ＣＰＵバスに接続されるＲＯＭ，ＲＡＭ，バスＳＷ，Ｉ／Ｏポート，ＮＶ−ＲＡＭ）に給電する待機電源回路に給電する。
【０００８】
操作部３０に配置された主電源ＳＷ３１による省エネルギーモードへの移行要求があると、ＣＰＵ１１は、メイン制御部１０を省エネルギーモードに設定してからパワーリレーＳＷ６２をオフする。これにより、スキヤナ部４０，エンジン部５０およびメイン制御部１０のスキャナ，エンジンＩ／Ｆ（インタ−フェ−ス）は、主電源６０からの電力供給が停止され非通電状態（省エネルギーモード）となる。この状態でも、ＣＰＵ１１を中心とするコンピュ−タシステム（ＣＰＵ１１，ＲＯＭ，ＲＡＭ，バスＳＷ，Ｉ／Ｏポート，ＮＶ−ＲＡＭ）には、電源ライン６４および待機電源回路を介して主電源６０からの電源供給が継続されるため、ＣＰＵ１１は、ＲＯＭに内蔵されるプログラムに従い、省エネルギーモードからの復帰要求をモニターできる。このときＣＰＵ１１の処理すべきタスクは復帰要求の検出だけであるため、ＣＰＵ１１の動作クロック周波数を低減することにより、更なる省エネルギー状態を実現できる。
【０００９】
主電源ＳＷ３１の再押下、外部接続のプリンタユニット７０からの復帰要求あるいは外部接続のファックスユニット８０からの復帰要求のいずれかに応答して、ＣＰＵ１１がパワーリレーＳＷ６２をオンする。これにより、省エネルギーモードから「通常モ−ド」に復帰する。すなわち電源ライン６３に主電源６０からの電力供給が行われ、メイン制御部１０の回路ブロック，スキャナ部４０，エンジン部５０は通電状態となる。ＣＰＵ１１はバスＳＷをイネーブルにし、スキャナ部４０，エンジン部５０との通信を再開する。
【００１０】
ここで、従来の画像形成装置の、ＣＰＵ１１の電源オンリセット又は強制リセット時の立ち上げ処理を、図８を用いて説明する。図８において、ステップ３０１でＣＰＵ１１の初期化処理（ＣＰＵ１１のモード設定，クロックシンセサイザの設定，割り込み許可等）を行う。次に、ステップ３０２で、メイン制御部１０のスキャナ，エンジンＩ／Ｆ（回路ブロック１６）の初期化を行い、操作部３０，スキャナ部４０，エンジン部５０との通信処理を可能とする。そしてステップ３０３でＮＶ−ＲＡＭ（１９）の情報を読み取り、ステップ３０４でＮＶ−ＲＡＭの情報の内、操作部表示情報に従い操作部３０の表示を行う。次にステップ３０５でエンジン部５０との通信によりエンジン部５０のエラー検出を行い、エラーを検出しなければステップ３０６に進む。ステップ３０６でスキャナ部４０との通信によりスキヤナ部４０のエラー検出を行い、エラーを検出しなければステップ３０７に進む。最後にステップ３０７で外部Ｉ／Ｆ（プリンタユニット７０やファックスユニット８０）との通信を許可する。ステップ３０５，ステップ３０６で各ブロックのエラーを検出した場合は、ステップ３０８に進み検出したエラーを操作部３０へ表示する。
【００１１】
【発明が解決しようとする課題】
さて、上述の従来の省エネルギーモード時の状態は、ＣＰＵ１１を含むメイン制御部１０の一部は通電状態であるが、スキャナ部４０，エンジン部５０を含むその他のブロック（基板および通信・制御デバイス）は非通電状態（省エネルギーモード）である（ただし、外部接続機器からの復帰要求を受信しＣＰＵ１１が認知するための部分的通電は行なわれる）。そのため、省エネルギーモードから復帰する際、ＣＰＵ１１はスキャナ部４０，エンジン部５０の電源およびシステム（通信・制御デバイス）の立ち上がりを待つ必要がある。そしてメイン制御部１０は、スキャナ部４０およびエンジン部５０との通信処理を開始するのであるが、電源の立ち上がり時間は、システムの固有キャパシタンス，浮遊容量等によりバラツキを含むため各ブロックにより差があり、また各ブロック毎に初期動作，エラー処理が異なるため複雑なソフトウェア制御が必要となる。
【００１２】
上述したように従来は、画像形成装置が省エネルギーモードに移行していて、手動ＳＷの再押下、あるいは外部Ｉ／Ｆからの復帰要求があった場合、ＣＰＵと通信する複数のデバイスの立ち上がり時間および各々のデバイスの初期処理を考慮した複雑なソフトウェア制御が必要であった。
【００１３】
本発明は、簡単なソフトウェア制御で省エネルギーモードから通常モ−ドへの復帰を実現することを目的とする。
【００１４】
【課題を解決するための手段】
（１）本発明は、原稿を読み取り画像データを出力するスキャナ(40)，画像データを顕像化して転写紙上に画像形成するエンジン(50)，これらを制御する装置制御手段(10)，外部機器(70,80)を上記装置制御手段(10)に接続する接続手段(15)，上記スキャナ(40)，エンジン(50)および装置制御手段(10)に電力を供給する通常モードと供給しない省エネルギーモードとを持つ電源手段(60,62)，モード切換えを指示する指示手段(31)、および、上記指示手段(31)の指示に応じて上記電源手段のモードを切換える電源制御手段(11)、を備えた省エネルギ待機の画像形成装置において、
上記装置制御手段(10)は、上記電源手段(60,62)が省エネルギーモードであるときに、上記指示手段(31)からの指示、または上記接続手段(15)を介して送られてくる指示に応じて、リセット信号を生成し該リセット信号によって上記電源制御手段をリセットし、該電源制御手段が、該リセットによる再起動によって、上記電源手段(60,62)を通常モードに切換える、ことを特徴とする省エネルギ待機の画像形成装置。
【００１５】
これによれば、省エネルギーモードのとき装置制御手段(10)が、指示手段(31)からの指示または接続手段(15)を介して送られてくる指示に応じてリセット信号を生成し、このリセット信号に応じて電源制御手段(11)が再起動して電源手段(60,62)を通常モードに切換える。例えば、スキャナ(40)，エンジン(50)および装置制御手段(10)がいずれも、電源オンリセット機能を有するものであるときには、電源制御手段(11)が電源手段(60,62)を電力の供給に定めて電力供給が開始したときに、電源オンリセットによりそれぞれ自己をリセットする。スキャナ(40)，エンジン(50)および装置制御手段(10)それぞれに固有のキャパシタンス，浮遊容量等のバラツキによる立ち上がり時間の差や、各ブロック独自の初期動作，エラーチェック等を考慮した複雑なソフトウェア制御を必要とせず、簡単なコマンドで確実な通常モードへの復帰が可能となる。
【００１６】
また、スキャナ(40)，エンジン(50)および装置制御手段(10)が電源オンリセット機能がなく、電源制御手段(11)がリセット信号に応じて初期化動作をしてスキャナ(40)，エンジン(50)および装置制御手段(10)を初期化するシステムでは、電源制御手段(11)が、電源オンリセットのときと同一の初期化処理により、スキャナ(40)，エンジン(50)および装置制御手段(10)を初期化すれば、省エネルギーモードから通常モ−ドに復帰するときの各手段(40,50,16)のリセット用のプログラムを付加する必要がない。
【００１７】
【発明の実施の形態】
（２）画像形成装置は更に書き換え可能な記憶保持装置(19)を具備し、上記電源制御手段(11)は、上記スキャナ(40)，エンジン(50)および装置制御手段(10)への電力が遮断された状態において、上記指示手段(31)からの指示または上記接続手段(15)を介して送られてくる指示があったとき、上記指示手段(31)からの指示であるのか、あるいは上記接続手段を介して送られてくる指示であるのかの識別情報を上記記憶保持装置(19)に記憶する。
【００１８】
接続手段(15)を介して送られてくる指示に応答して省エネルギーモードから通常モ−ドに復帰する場合、その旨を記憶保持装置(19)に書き込んでから各手段リセットすることにより、画像形成装置が通常モードで立ち上がって記憶保持装置(19)の情報を読み込めば、外部機器(70,80)からの復帰要求処理実行を認識でき、外部機器(70,80)からの再アクセスを待たずに継続処理を実行可能である。
（３）上記電源制御手段(11)は、上記指示に応じて電力を供給した後上記識別情報を上記記憶保持装置(19)から読み取り、それが上記接続手段(15)を介して送られてきた指示を示すときは、上記接続手段(15)に接続された外部機器(70,80)との処理を最優先に開始する。
【００１９】
接続手段(15)を介して送られてくる指示に応答して省エネルギーモードから通常モ−ドに復帰して各手段をリセットした後、記憶保持装置(19)の復帰要求先情報をチェックし、復帰要求先情報を検出した場合はスキャナ部(40)との交信より先に、復帰要求を発した外部機器(70,80)との通信を許可して、それとの通信タスクを実行することにより、外部機器(70,80)からの復帰要求による省エネルギーモードから通常モ−ドへの復帰の場合は、外部機器(70,80)が求める仕事に必要としないスキャナ部(40)との交信時間を短縮することが可能となる。
【００２０】
本発明の他の目的および特徴は、図面を参照した以下の実施例の説明より明らかになろう。
【００２１】
【実施例】
−第１実施例−
図１は、本発明の以下に説明する実施例のすべてに共通の構成を示すブロック図である。図１に示す画像形成装置は、ＣＰＵ１１を搭載し、画像形成装置全体の制御および外部Ｉ／Ｆとの通信処理を行うメイン制御部１０，原稿を読み取り電気的な画像信号に変換するスキャナ部４０，画像信号を顕像化して転写紙に出力するエンジン部５０、および、オペレータが画像形成装置を操作する操作部３０で構成されている。また、ＰＣ（パソコン）のオンラインプリンタとして本画像形成装置を使用する場合に、ＰＣとメイン制御部１０とのＩ／Ｆ機能を有するプリンタユニット７０，ファクシミリ受信機として本画像形成装置を使用する場合に、モデムとメイン制御部１０とのＩ／Ｆ機能を有するファックスユニット８０が搭載されており、ＣＰＵ１１は各ユニット内に搭載された制御部（図示しない）と通信を行うことにより機能を実現する。プリンタユニット７０およびファックスユニット８０が、オプションの外付機器すなわち外部接続機器である。
【００２２】
各ブロックには主電源６０から電力供給が行われ、ＣＰＵ１１からの制御により動作するパワーリレーＳＷ６２により遮断可能な電源ライン６３と、パワーリレーＳＷ６２のオン／オフに依存せず連続供給される電源ライン６４の２系統の電源ラインが存在する。
【００２３】
電源ライン６３は、スキャナ部４０，エンジン部５０、および、メイン制御部１０のＣＰＵ１１周辺部を除く回路部（これに関しては後述する）に電力を供給し、また、メイン制御部１０を介して操作部３０へ主電源６０からの電力供給を行っている。電源ライン６４は、メイン制御部１０のＣＰＵ１１周辺部（これに関しては後述する）、プリンタユニット７０およびファックスユニット８０へ主電源６０からの電力供給を行っている。
【００２４】
操作部３０には、オペレータが本画像形成装置を省エネルギーモードへ移行させるために用いる主電源ＳＷ３１が設けられており、操作部３０の中で唯一主電源ＳＷ３１にはメイン制御部１０を介して電源ライン６４の電力供給が行われている。
【００２５】
図２に、メイン制御部１０の内部構成を示す。メイン制御部１０は、ＣＰＵ１１の他に、ＣＰＵバスに接続されるＲＯＭ１２，ＲＡＭ１３，バスＳＷ１４，Ｉ／Ｏポート１５，不揮発性メモリＮＶ−ＲＡＭ１９が備えられている。ＮＶ−ＲＡＭ１９には、エンジン部４０，スキャナ部５０の調整データや画像形成装置の固有特性値が記憶されており、ＣＰＵ１１は電源投入時のステータスチェック実施時や操作部３０からの入力により固有特性値を書き換える。また、メイン制御部１０内の、エンジン部およびスキャナ部とのインタ−フェ−ス（Ｉ／Ｆ）である回路ブロック１６は、ＣＰＵバスに対し、バスＳＷ１４を介して接続されている。バスＳＷ１４は、Ｉ／Ｏポート１５の出力によりオン／オフされ、バスＳＷ１４がオフの状態では回路ブロック１６とのバス接続状態をハイ・インピーダンス状態にする。また、Ｉ／Ｏポート１５の出力は、バスＳＷ１４の他に、前述のパワーリレーＳＷ６２，後述するリセット回路１７に接続され、それぞれを制御する。さらに、Ｉ／Ｏポート１５の入力は、主電源ＳＷ３１，プリンタユニット７０の省エネルギーモードからの復帰要求検出、ファックスユニット８０の省エネルギーモードからの復帰要求検出に用いられている。
【００２６】
回路ブロック１６への電力供給は、電源ライン６３を介して行われ、ＣＰＵ１１を含むその他の部分への電力供給は、電源ライン６４を介して行われているが、前述したようにバスＳＷ１４をオフした状態では、回路ブロック１６へのバス接続がオープンになるため、電気的な衝突はない。また、Ｉ／Ｏポート１５の出力は、リセット時（または電源投入時）には、バスＳＷ１４をオン状態に設定するようにハードウェア構成されている。
【００２７】
リセット回路１７は、それに電源が投入されたときにリセット信号を出力し（電源オンリセット）、また、メイン制御部１０へ電源ライン６４を介して供給される電源電圧を監視しており、電源モニター部（図示しない）が所定の電位以下になった場合、リセット信号を出力し、ドライバ１８をドライブする。ドライバ１８の出力はＣＰＵ１１のリセット入力端子に接続されており、ＣＰＵ１１をリセットする。また同時に、スキャナ部４０，エンジン部５０および操作部３０にも接続されており、各ブロックの通信・制御デバイスをリセットする。リセット回路１７にはＩ／Ｏポート１５が接続されており、Ｉ／Ｏポート１５からの信号により強制的にリセット信号を出力可能である。
【００２８】
図３には、エンジン部５０，スキャナ部４０および操作部３０が、それぞれ電源オンリセット機能を有するものであるときの、メイン制御部１０のリセット信号ラインの、変形例を示す。図２に示す例ではリセット回路１７が発生するリセット信号が、ＣＰＵ１１、ならびに、エンジン部５０，スキャナ部４０および操作部３０に与えられる。しかし、図３に示す例では、ＣＰＵ１１のみにリセット回路１７が発生するリセット信号が与えられ、これに応答してＣＰＵ１１がリセット動作（初期化）してその処理の１つとしてパワ−リレ−６２をオンにし、これによってエンジン部５０，スキャナ部４０および操作部３０に電源電圧が加わりこのときこれらはみずから電源オンリセットによりリセット動作をする。
【００２９】
図４に、図２に示すＣＰＵ１１の、通常モ−ド／省エネルギーモード間のモ−ド切換え制御を示す。図４において、ステップ１０１でＣＰＵ１１（画像形成装置）は通常モードで動作している。ＣＰＵ１１は、ステップ１０２で主電源ＳＷ３１の状態をチェックし、主電源ＳＷ３１の押下を検出しなければステップ１０１に戻る。ステップ１０２で主電源ＳＷ３１の押下を検出したらステップ１０３に進み、バスＳＷ１４をオフ状態に設定する。次に、ステップ１０４で所定時間経過を待ち、ステップ１０５でパワーリレーＳＷ６２をオフ状態に設定する。なお、時間経過を待っている間に画像形成装置へのオペレ−タ又は外部機器からのアクセスがあると、そこで「通常モ−ド」１０１に戻る。上記の動作により電源ライン６３の電力供給が遮断され、画像形成装置は省エネルギーモードに移行した。
【００３０】
次にステップ１０６で主電源ＳＷ３１の状態をチェックし、主電源ＳＷ３１の押下を検出しなければステップ１０７に進む。ステップ１０７でプリンタユニット７０による省エネルギーモードからの復帰要求をチェックし、復帰要求がなければステップ１０８に進む。ステップ１０８でファックスユニット８０による省エネルギーモードからの復帰要求をチェックし、復帰要求がなければステップ１０６に戻る。ステップ１０６での主電源ＳＷ３１の押下、ステップ１０７でのプリンタユニット７０からの復帰要求およびステップ１０８でのファックスユニット８０からの復帰要求のいずれかを検出した場合は、ステップ１０９に進み、パワーリレーＳＷ６２をオフ状態に設定する。そしてステップ１１０でリセット回路１７に対し強制リセット信号出力を行う。
【００３１】
リセット回路１７からのリセット信号出力により、ＣＰＵ１１およびスキャナ部４０，エンジン部５０，操作部３０の通信・制御デバイスは一旦リセットされ、初期動作からシステムの立ち上げを行う。この状態は電源投入時のイニシャライズ（初期化動作）と同一であり、画像形成装置は通常モードで立ち上がることになる。
【００３２】
すなわち、省エネルギーモードにおいて、主電源ＳＷ３１の再押下、あるいは外部Ｉ／Ｆ（プリンタユニット７０やファックスユニット８０）からの復帰要求により通常モードに復帰する際、メイン制御部１０（ＣＰＵ１１），操作部３０，スキャナ部４０およびエンジン部５０を同時にリセットすることにより、各ブロック固有のキャパシタンス、浮遊容量等のバラツキによる立ち上がり時間の差や、各ブロック独自の初期動作、エラーチェック等を考慮した複雑なソフトウェア制御を必要とせず、リセット回路１７への強制リセット信号出力という簡単なコマンドで確実な通常モードへの復帰が可能となる。
【００３３】
なお、図３に示すリセット信号ラインにてＣＰＵ１１のみにリセット信号を与える態様は、エンジン部５０，スキャナ部４０および操作部３０がそれぞれ電源オンリセット機能を有し、それぞれ、ＣＰＵ１１の、リセット回路１７が発生するリセット信号に応答したイニシャライズ（初期化動作）での一処理としてのパワ−リレ−ＳＷ６２オン、による電源ライン６３への電源電圧の印加（電源オン）に応答して、みずからをイニシャライズ（初期化動作）するものであることが必要である。あるいは、ＣＰＵ１１が、リセット回路１７が発生するリセット信号に応答したイニシャライズ（初期化動作）の中で、パワ−リレ−ＳＷ６２をオンにし、そしてエンジン部５０，スキャナ部４０および操作部３０を初期化するものである必要がある。いずれにしても、図３に示すリセット信号ラインを用いる態様では、図４に示す、通常モ−ド／省エネルギーモード間のモ−ド切換え制御の中の、「パワ−リレ−ＳＷ６２オン」１０９は省略しうる。
【００３４】
−第２実施例−
第２実施例のハ−ドウェア構成は、図１〜図３に示す第１実施例のものと同様であるが、第２実施例のＣＰＵ１１の、通常モ−ド／省エネルギーモード間のモ−ド切換え制御は、図５に示すように、第１実施例のもの（図４）と少し異なり、ステップ２０７でプリンタユニット７０からの復帰要求を検出したときには、ステップ２１１で、ＮＶ−ＲＡＭ１９に、プリンタユニット７０からの復帰要求を書込む。ステップ２０８でファックスユニット８０からの復帰要求を検出したときには、ステップ２１２で、ＮＶ−ＲＡＭ１９に、ファックスユニット８０からの復帰要求を書込む。そしてステップ２０９に進み、パワーリレーＳＷ６２をオン状態に設定する。そしてステップ２１０でリセット回路１７に対し強制リセット信号出力を行う。
【００３５】
リセット回路１７からのリセット信号出力により、ＣＰＵ１１およびスキャナ部４０，エンジン部５０，操作部３０の通信・制御デバイスは一旦リセットされ、初期動作からシステムの立ち上げを行う。この状態は電源投入時のイニシャライズと同一であり、画像形成装置は通常モードで立ち上がることになる。
【００３６】
図６に、第２実施例のＣＰＵ１１の、電源オンリセット又は強制リセット時の立ち上げ処理を示す。この処理は、図８に示す従来例と対応するものである。図６を参照する。ステップ４０１でＣＰＵ１１の初期化処理（ＣＰＵ１１のモード設定、クロックシンセサイザの設定、割り込み許可等）を行う。次に、ステップ４０２で回路ブロック１６の初期化を行い、操作部３０，スキャナ部４０，エンジン部５０との通信処理を可能とする。そしてステップ４０３でＮＶ−ＲＡＭ１９の情報を読み取り、ステップ４０４でＮＶ−ＲＡＭ１９の情報の内、操作部表示情報に従い操作部３０の表示を行う。次にステップ４０５でエンジン部５０との通信によりエンジン部５０のエラー検出を行い、エラーを検出しなければステップ４０６に進む。
【００３７】
ステップ４０６で、ＮＶ−ＲＡＭ１９の省エネルギーモード復帰要求先情報をチェックし、復帰要求先情報がなければステップ４０７に進む。ステップ４０７でスキャナ部４０との通信によりスキャナ部４０のエラー検出を行い、エラーを検出しなければステップ４０８に進む。最後にステップ４０８で外部Ｉ／Ｆ（プリンタユニット７０やファックスユニット８０）との通信を許可する。
【００３８】
ステップ４０６で復帰要求先情報を検出した場合は、ステップ４０８に進みスキャナ部４０との交信より先に外部Ｉ／Ｆ（プリンタユニット７０やファックスユニット８０）との通信を許可し、プリンタユニット７０あるいはファックスユニット８０との通信タスクを実行する。この時、ＣＰＵ１１はＮＶ−ＲＡＭ１９の省エネルギーモード復帰要求先情報をクリアする。
【００３９】
ただし、要求された外部Ｉ／Ｆからの処理を完了したら、ステップ４０７のスキャナ部４０との交信を実行する。また、ステップ４０５，ステップ４０７で各ブロックのエラーを検出した場合は、ステップ４０９に進み検出したエラーを操作部３０へ表示する。
【００４０】
上述の第１実施例（図５）では、省エネルギーモードにおいてリセット回路１７への強制リセット信号出力という簡単なコマンドで確実な通常モードへの復帰が可能となった。しかしながら、システムのリセットにより画像形成装置が通常モードで立ち上がった時、それが外部Ｉ／Ｆ（プリンタユニット７０やファックスユニット８０）からの復帰要求であった場合、通常モ−ドに立上ってから再び外部Ｉ／Ｆからのアクセスがあって初めて通信処理を行うことができる。
【００４１】
これに対して上述の第２実施例では、その旨をＮＶ−ＲＡＭ１９に書き込んでからシステムリセットを行うことにより、画像形成装置が通常モードで立ち上がってＮＶ−ＲＡＭ１９の情報を読み込めば、外部Ｉ／Ｆからの復帰要求処理実行を認識でき、外部Ｉ／Ｆからの再アクセスを待たずに継続処理を実行可能である。  すなわち、メイン制御部１０を初期化した後、ＮＶ−ＲＡＭ１９の省エネルギーモード復帰要求先情報をチェックし、復帰要求先情報を検出した場合はスキャナ部４０との交信より先に外部Ｉ／Ｆ（プリンタユニット７０やファックスユニット８０）との通信を許可して、プリンタユニット７０あるいはファックスユニット８０との通信タスクを実行する。これにより、外部Ｉ／Ｆによる省エネルギーモードからの復帰の場合は、ＰＣのオンラインプリンタとして本画像形成装置を使用する場合、またはファクシミリ受信機として本画像形成装置を使用する場合であり、この際必要としないスキャナ部４０との交信時間を短縮することが可能となる。
【図面の簡単な説明】
【図１】  本発明と従来装置に共通の、省エネルギ機能がある画像形成装置のシステム構成、を示すブロック図である。
【図２】  本発明の第１実施例の画像形成装置の、メイン制御部１０の第１態様の構成を示すブロック図である。
【図３】  本発明の第１実施例の画像形成装置の、メイン制御部１０の第２態様の構成を示すブロック図である。
【図４】  図２に示すメイン制御部１０のＣＰＵ１１の通常モ−ド／省エネルギーモード間のモ−ド切換え制御の内容を示すフロ−チャ−トである。
【図５】  本発明の第２実施例の画像形成装置の、メイン制御部１０のＣＰＵ１１の通常モ−ド／省エネルギーモード間のモ−ド切換え制御の内容を示すフロ−チャ−トである。
【図６】  本発明の第２実施例の画像形成装置の、メイン制御部１０のＣＰＵ１１の、電源オンリセット又は強制リセット時の立ち上げ処理を示すフロ−チャ−トである。
【図７】  従来の、省エネルギ機能がある画像形成装置の１つの構成を示すブロック図である。
【図８】  図７に示すＣＰＵ１１の電源オンリセット又は強制リセット時の立ち上げ処理を示すフロ−チャ−トである。
【符号の説明】
１０：メイン制御部  １１：ＣＰＵ
１２：ＲＯＭ        １３：ＲＡＭ
１４：バスＳＷ      １５：Ｉ／Ｏポート
１６：回路ブロック  １７：リセット回路
１８：ドライバ      １９：ＮＶ−ＲＡＭ
２０：電源制御部    ２１：サブＣＰＵ
３０：操作部        ３１：主電源ＳＷ
４０：スキャナ部    ５０：エンジン部
６０：主電源        ６１：補助電源
６２：パワーリレーＳＷ
６３：電源ライン（遮断）
６４：電源ライン    ７０：プリンタユニット
８０：ファックスユニット
【図１】
0003815907.tif 000002
【図２】
0003815907.tif 000003
【図３】
0003815907.tif 000004
【図４】
0003815907.tif 000005
【図５】
0003815907.tif 000006
【図６】
0003815907.tif 000007
【図７】
0003815907.tif 000008
【図８】
0003815907.tif 000009